(57)【特許請求の範囲】
【請求項１】
浴室壁面に取り付けられた挟持金具に浴槽の周辺部垂下壁を係合させ、浴槽の周辺部垂下壁と浴室壁面との隙間を化粧目地材で仕上げてなる浴槽の設置構造であって、
前記挟持金具は、
下側部には浴室壁面に固定できる固定部が設けられ、
上側部には壁面との間に隙間を設けるように固定部より位置をずらして屈曲形成された係合部が設けられ、
この係合部に接するように浴槽の周辺部垂下壁を挿入係合して浴槽が設置され、
前記化粧目地材は、
上部に弾力性のある、少なくとも前記浴室壁面側に突出する凸部を有する化粧部と、
その下部に垂設される、硬質の合成樹脂又は金属により形成される縦片部とからなり、
該縦片部の下端側には係止片が突出するように形成され、
その高さが浴槽の周辺部垂下壁の高さと略同じになるように浴槽の周辺部垂下壁と浴室壁面との隙間に打ち込まれて、前記化粧部が前記隙間を塞ぎつつ、前記縦片部が前記係合部と対向して前記浴槽の周辺部垂下壁を挟んで保持し、
入り隅になった浴室壁面と出隅となった浴槽コーナー部の周辺部垂下壁との間に、前記化粧目地材の端部を覆うコーナー化粧目地材が挿入設置されていることを特徴とする浴槽の設置構造。
【請求項２】
浴室壁面と洗い場側浴槽コーナー部の周辺部垂下壁との間に、化粧目地材の端部に接続して端末化粧目地材が挿入されていることを特徴とする請求項１記載の浴槽の設置構造。
【発明の詳細な説明】
【０００１】
【発明の属する技術分野】
本発明は、浴室壁面と浴槽の周辺部との隙間を化粧目地材で塞いでなる浴槽の設置構造に関する。
【０００２】
【従来の技術】
従来、浴室内に設けられる浴槽の設置構造において、浴槽と浴室壁面の間にはわずかな隙間が生じるので、この隙間を後から浴槽の湯水が浸入しないように、コーキング剤等を充填して隙間を塞ぐようになされていた。
しかし、湿式のコーキング剤の充填は、施工に手間が掛り、良い仕上げをするには施工に熟練を要している。また、設置した後、浴槽を交換する際には、古いシーリング剤の除去と新しいコーキング剤の施工が必要となっている。
【０００３】
これらの湿式のコーキング剤に代えて、実開昭５７―１６３９０４号公報に記載されているような目地材が提案されている。また、特開平１１―３３６２０８号公報に記載されているように、浴槽と周囲の壁面との間の隙間に化粧目地材が設けられているものも知られている。
【０００４】
【発明が解決しようとする課題】
しかしながら、実開昭５７―１６３９０４号公報に記載の目地材では、浴室壁面と浴槽との隙間精度が悪くて隙間が狭いと目地が充分に挿入されなかったり、隙間が広いとと防水が不充分になっていた。
【０００５】
また、特開平１１―３３６２０８号公報に記載されているものでは、予め化粧目地材を浴槽周辺部の垂下壁側面に取り付けた後、浴槽を設置するため、通常の浴槽の設置工事を行うだけで、縦片部の厚さとリブの弾力性によって浴室壁と浴槽周辺部の垂下壁側面との隙間が均一に施工でき、防水を確実に行えるようになっているが、化粧目地材の上部の薄い斜片部があるために、目地幅が広くて見映えが悪いといった問題や、浴槽と浴室壁面との隙間が不均一の場合、化粧目地材の斜片部の立ち上がり高さが不均一になるなどの外観上の不具合が生じるといった問題があった。
【０００６】
本発明は、上記のこのような問題点に着眼してなされたものであり、その目的は、浴室壁面と浴槽の周辺部垂下壁との隙間を一定にし外観の良い浴槽の設置構造を提供するものである。
【０００７】
【課題を解決するための手段】
請求項１記載の本発明の浴槽の設置構造は、浴室壁面に取り付けられた挟持金具に浴槽の周辺部垂下壁を係合させ、浴槽の周辺部垂下壁と浴室壁面との隙間を化粧目地材で仕上げてなる浴槽の設置構造であって、前記挟持金具は、下側部には浴室壁面に固定できる固定部が設けられ、上側部には壁面との間に隙間を設けるように固定部より位置をずらして屈曲形成された係合部が設けられ、この係合部に接するように浴槽の周辺部垂下壁を挿入係合して浴槽が設置され、前記化粧目地材は、上部に弾力性のある、少なくとも前記浴室壁面側に突出する凸部を有する化粧部と、その下部に垂設される、硬質の合成樹脂又は金属により形成される縦片部とからなり、該縦片部の下端側には係止片が突出するように形成され、その高さが浴槽の周辺部垂下壁の高さと略同じになるように浴槽の周辺部垂下壁と浴室壁面との隙間に打ち込まれて、前記化粧部が前記隙間を塞ぎつつ、前記縦片部が前記係合部と対向して前記浴槽の周辺部垂下壁を挟んで保持し、入り隅になった浴室壁面と出隅となった浴槽コーナー部の周辺部垂下壁との間に、前記化粧目地材の端部を覆うコーナー化粧目地材が挿入設置されているものである。
【０００８】
請求項２記載の本発明の浴槽の設置構造は、浴室壁面と洗い場側浴槽コーナー部の周辺部垂下壁との間に、化粧目地材の端部に接続して端末化粧目地材が挿入されているものである。
【００１１】
【作用】
請求項１記載の本発明の浴槽の設置構造は、前記挟持金具は、下側部には浴室壁面に固定できる固定部が設けられ、上側部には壁面との間に隙間を設けるように固定部より位置をずらして屈曲形成された係合部が設けられ、この係合部に浴槽の周辺部垂下壁を挿入係合して浴槽が設置され、浴槽の周辺部垂下壁と浴室壁面との隙間に化粧目地材が打ち込まれているので、浴槽と浴室壁面は挟持金具で隙間を均一にされ、この隙間は化粧目地材で塞がれ、外観の奇麗な設置構造とすることができる。
【００１２】
また、本発明の浴槽の設置構造は、前記化粧目地材は、上部に弾力性のある、少なくとも前記浴室壁面側に突出する凸部を有する化粧部と、その下部に垂設される縦片部とからなり、縦片部の下端側には係止片が発出して形成され、前記化粧目地材の高さが浴槽の周辺部垂下壁の高さと略同じになされているので、化粧目地材の係止部で確実に壁面に固定され、上部の化粧部が浴槽の周辺部上面に回り込んで浴室壁面と浴槽の隙間を奇麗に塞ぐことができる。
【００１３】
また、本発明の浴槽の設置構造は、入り隅になった浴室壁面と浴槽コーナー部の周辺部垂下壁との間に、化粧目地材の端部を覆うコーナー化粧目地材が挿入設置されているので、化粧目地材が位置ずれしても浴槽と浴室の３方のコーナー壁面をコーナー目地材で奇麗に仕上げることができる。
【００１４】
請求項２記載の本発明の浴槽の設置構造は、浴室壁面と洗い場側浴槽コーナー部の周辺部垂下壁との間に、化粧目地材の端部を覆う端末化粧目地材が挿入されているので、洗い場側の浴槽コーナー部の周辺部垂下壁と浴室壁面との隙間が端末化粧目地材で塞ぎ綺麗に仕上げることができる。
【００１５】
【発明の実施の形態】
以下に本発明の実施の形態を図面を参照して説明する。
図１は、本発明の浴槽の設置構造を示す斜視図、図２は、本発明の浴槽の設置構造を示す断面図、図３は、本発明の浴槽の設置構造に用いる化粧目地材を示す断面図、図４は、本発明の浴槽設置構造に用いるコーナー目地材を示す斜視図、図５は本発明の浴槽設置構造に用いる端末化粧目地材を示す正面図、図６は同じく斜視図、図７は端末化粧目地材が使用されている状態を示す一部切り欠き平面図である。
【００１６】
図１に示すように、本発明の浴槽の設置構造は、浴室１０床面の一部に浴槽１５が設置されている。浴槽１５に設置される３方の壁面１０１、１０２、１０３には、挟持金具１３が予め取り付けられている。
【００１７】
挟持金具１３は、図２に示すように、板片を折り曲げ加工して係合部１３１と固定部１３２とを形成した屈曲形状で、下部側の固定部１３２を壁面１０１、１０２、１０３に当接させ、壁面１０１、１０２、１０３の補強材の裏打ち材１４に固定されている。
【００１８】
挟持金具１３の上側部には、壁面１０１、１０２、１０３との間に隙間を設けるように屈曲形成して固定部１３２より位置をずらして、浴槽１５の周辺部垂下壁１５１を係合できる係合部１３１が設けられている。
【００１９】
前記挟持金具１３を用いて浴槽１５を設置するには、浴室壁面１０１、１０２、１０３に固定部１３２を固定した後、係合部１３１に浴槽１５の周辺部垂下壁１５１を挿入係止し、浴槽１５の周辺部垂下壁１５１と浴室壁面１０１、１０２、１０３との間にに化粧目地材１１を打ち込んで浴槽１５を浴室１０内に設置固定すればよい。
【００２０】
上記浴槽の設置構造に使用される化粧目地材１１は、図３に示す様に、上部に弾力性のある断面略逆三角形の化粧部１１１と、その下部に垂設される縦片部１１３とからなり、縦片部１１３の下部には係止片１１２が水平方向に突出して形成されている。
【００２１】
この化粧目地材１１は、縦片部１１３が浴槽１５の周辺部垂下壁１５１と浴室壁面１０１、１０２、１０３との隙間に挿入され、係止片１１２によってしっかりと固定できるようになされているとともに、断面略逆三角形状になされ化粧部１１１が浴槽１５の周辺部垂下壁１５１と浴室壁面１０１、１０２、１０３との隙間を塞くようにして、壁面１０１、１０２、１０３から浴槽１５の周辺部上面にかけて被覆される形状となっている。
【００２２】
また、化粧目地材１１の高さは、浴槽１５の周辺部垂下壁１５１の高さと略同じになされている。そのため、浴室壁面１０１、１０２、１０３と浴槽１５の垂下壁１５１との当接面に係止片１１２を確実に固定することができる。
【００２３】
化粧目地材１１の材質は、ある程度の弾性を有する合成樹脂またはゴム、エラストマー等で構成され、縦片部１１３を硬質の合成樹脂や金属にする場合は、下部の係止片１１２の部分は軟質の弾性材になされている。
【００２４】
図４は請求項３の浴槽の設置構造に使用されるコーナー化粧目地材の一例を示す斜視図である。
コーナー化粧目地材１２は、図１にも示すように浴室壁面１０１、１０２、１０３と浴槽１５の周辺部垂下壁１５１との隙間に前記化粧目地材１１を挿入して、入り隅になった浴室壁面のコーナー部と出隅となった浴槽コーナー部の垂下壁１５１との間に、化粧目地材１１の端部を覆うように挿入されるものである。
【００２５】
また、コーナー化粧目地材１２は、上部の化粧部１２１の形状を浴室１０の入り隅コーナー部で浴槽１５の出隅コーナー部との間に挿入できるようにＬ字状になされている。化粧部１２１の下側にはコーナー形状に沿った垂下片１２２が設けられており、この垂下片１２２の下端部側に係止片１２３が水平方向に突出して形成されている。
【００２６】
上記コーナー化粧目地材１２を取付け施工するには、浴槽１５のコーナー部の周辺部垂下壁１５１を浴室１０の入り隅に当接させ、浴室壁面１０１、１０２、１０３と浴槽１５の周辺部垂下壁１５１との隙間に化粧目地材１１を挿入してから、入り隅になった浴室壁面のコーナー部と出隅となった浴槽コーナー部の垂下壁１５１との間に、化粧目地材１１の端部を覆うようにコーナー化粧目地材１２の垂下片１２２を挿入すればよい。このように、コーナー化粧目地材１２が取り付けられると、コーナー部の隙間はコーナー化粧目地材１２、１２で塞がれて仕上げられることになる。
【００２７】
図５は請求項４の浴槽の設置構造に使用される端末化粧目地材の実施形態を示す正面図である。
この端末化粧目地材１６は、化粧部１６１と板片部１６２とからなり、化粧部１６１が板状部１６２の上部から側部にかけて湾曲した状態で形成されており、板片部１６２の下端部に係止片１６３が突設して設けられている。
【００２８】
このような端末化粧目地材１６は、浴槽が設置された状態では、図７に示すように、浴室壁面１０３と浴槽１５の周辺部垂下壁１５１との隙間に挿入された化粧目地材１１の端部に接続するようにして、洗い場側に面する浴槽１５のコーナー部の垂下壁１５１の間に挿入されている。
【００２９】
この場合、洗い場側の浴槽周辺部コーナーは、浴室壁面１０３と洗い場側に面した周辺部垂下壁１５１との隙間が端末化粧目地材１６の化粧部１６１によって塞がれるので、外観の奇麗な設置構造とすることができる。
【００３０】
以上、本発明の実施の形態を図面により詳述してきたが、具体的な形態はこの実施の形態に限られものではなく、本発明の要旨を逸脱しない範囲における設計の変更等があっても本発明に含まれる。
【００３１】
例えば、実施の形態では、化粧目地材１１と端末化粧目地材１６と別体に形成されているが、化粧目地材１１を押出成形法により押し出して長尺状の合成樹脂製の押山し成形品とし、端末化粧目地材１６を射出成形法により成形して合成樹脂製の射出成形品として、化粧目地材１１の端部と端末化粧目地材１６の側端面とを熱融着して接続してもよいし、また、化粧目地材１１の端部を射出成形金型内に挿入した状態で端末化粧目地材１６を射出成形してもよい。
この場合、化粧目地材１１の化粧部１１１と端末化粧目地材１６の化粧部１６１の幅が同じ寸法になるように形成されているほうが好ましい。
【００３２】
【発明の効果】
請求項１記載の本発明の浴槽の設置構造は、挟持金具は、下側部には浴室壁面に固定できる固定部が設けられ、上側部には壁面との間に隙間を設けるように固定部より位置をずらして屈曲形成された係合部が設けられ、この係合部に浴槽の周辺部垂下壁を挿入係合して浴槽が設置され、浴槽の周辺部垂下壁と浴室壁面との隙間に化粧目地材が打ち込まれているので、浴槽と浴室壁面は挟持金具で隙間を均一にされ、該隙間は化粧目地材で塞がれ、外観の奇麗な設置構造とすることができる。
【００３３】
また、本発明の浴槽の設置構造は、化粧目地材は、上部に弾力性のある化粧部と、その下部に垂設される縦片部とからなり、縦片部の下端側には係止片が突出して形成され、前記化粧目地材の高さが浴槽の周辺部垂下壁の高さと略同じになされているので、化粧目地材の係止部で確実に壁面に固定され、上部の化粧部が浴槽エプロンに回り込んで浴室壁面と浴槽の隙間を奇麗に塞ぐことができる。
【００３４】
また、本発明の浴槽の設置構造は、浴室壁面と浴槽との隙間に前記化粧目地材を挿入して、入り隅になった浴室壁面と出隅となった浴槽コーナー部の周辺部垂下壁との間に、化粧目地材の端部を覆うコーナー化粧目地材が挿入設置されているので、化粧目地材が位置ずれしても浴槽と浴室の３方のコーナー壁面をコーナー目地材で奇麗に仕上げることができる。
【００３５】
請求項２記載の本発明の浴槽の設置構造は、浴室壁面と浴槽との隙間に化粧目地材を挿入して、浴室壁面と洗い場側浴槽コーナー部の周辺部垂下壁との間に、前記化粧目地材の端部に接続して端末化粧目地材が挿入されているので、洗い場側からみても、浴槽の洗い場側の周辺部垂下壁と浴室壁面との隙間が塞がれて奇麗に仕上げることができる。
【図面の簡単な説明】
【図１】本発明の浴槽の設置構造を示す斜視図である。
【図２】本発明の浴槽の設置構造を示す断面図である。
【図３】本発明の浴槽の設置構造に用いる化粧目地材を示す断面図である。
【図４】本発明の浴槽設置構造に用いるコーナー目地材を示す斜視図である。
【図５】本発明の浴槽の設置構造に用いる端末化粧目地材を示す正面図である。
【図６】同上の端末化粧目地材を示す斜視図である。
【図７】本発明の浴槽の設置構造において端末化粧目地材が取り付けられた状態を示す一部切り欠き平面図である。
【符号の説明】
１０            浴室
１０１          壁面
１０２          壁面
１０３          壁面
１１            化粧目地材
１１１          化粧部
１１２          係止片
１１３          縦片部
１２            コーナー目地材
１２１          化粧部
１３            挟持金具
１３１          係合部
１３２          固定部
１５            浴槽
１５１          垂下壁
１６            端末化粧目地材
１６１          化粧部
１６２          板片部
１６３          係止部
【図１】
0004551022.tif 000002
【図２】
0004551022.tif 000003
【図３】
0004551022.tif 000004
【図４】
0004551022.tif 000005
【図５】
0004551022.tif 000006
【図６】
0004551022.tif 000007
【図７】
0004551022.tif 000008